(57)【要約】【課題】  簡素な構成で、持ち運びに便利な、デジタルラジオ放送を受信可能な可搬型電子機器を提供する。【解決手段】  人工衛星からの電波または地上での電波をアンテナ（２１）によって受信してラジオ放送を聴取するためのデジタルラジオチューナと、光ディスクを少くとも再生するための光ディスクドライブとを筐体に内蔵している。筐体の天面に設けられた、光ディスクを着脱するために開閉可能な蓋（１０）を有している。アンテナ（２１）は、蓋（１０）に設けられている。アンテナ（２１）に接続されたアース板が、蓋（１０）に設けられている。【選択図】      図１
2005110198.tif 000002
【特許請求の範囲】
【請求項１】
人工衛星からの電波または地上での電波をアンテナによって受信してラジオ放送を聴取するためのラジオチューナと、光ディスクを少くとも再生するための光ディスクドライブとを筐体に内蔵する可搬型電子機器において、
前記筐体の天面に設けられた、光ディスクを着脱するために開閉可能な蓋を有しており、
前記アンテナは、前記蓋に設けられており、
前記アンテナに接続されたアース板が、前記蓋に設けられていることを特徴とする可搬型電子機器。
【請求項２】
前記蓋は、金属板から成るボトムカバーを含み、
前記アンテナは、前記ボトムカバー上に搭載され、
前記ボトムカバーは、前記アース板を兼ねている請求項１に記載の可搬型電子機器。
【請求項３】
前記アンテナは、前記ボトムカバーに形成された切り起こしによって固定保持される請求項２に記載の可搬型電子機器。
【請求項４】
前記アンテナと前記ボトムカバーとの電気的導通は、ハンダ付によってなされる請求項２または３に記載の可搬型電子機器。
【請求項５】
前記蓋は、樹脂製のボトムカバーと、前記ボトムカバー上に貼り付けられた金属を含むアースシートとを備えており、
前記アンテナは、前記アースシート上に搭載され、
前記アースシートは、前記アース板として機能する請求項１に記載の可搬型電子機器。
【請求項６】
前記ボトムカバーは、その上面上に突出するボスを備えており、
前記アースシートは、前記ボスに対応する領域に形成された切欠部を備えており、
前記アンテナは、前記ボトムカバーの前記ボスにネジを用いて固定保持される請求項５に記載の可搬型電子機器。
【請求項７】
前記ボトムカバーは、その上面上に突出するフックを備えており、
前記アースシートは、前記フックに対応する領域に形成された切欠部を備えており、
前記アンテナは、前記ボトムカバーの前記フックによって固定保持される請求項５に記載の可搬型電子機器。
【請求項８】
前記アース板の面積は、前記アンテナの底面積の等倍よりも大きく、該アンテナは、該アース板表面のほぼ中心位置に配置される請求項１乃至７のいずれか１つに記載の可搬型電子機器。
【請求項９】
前記アースシートは、厚さ０．２ｍｍのアルミシートである請求項５乃至８のいずれか１つに記載の可搬型電子機器。
【請求項１０】
前記アース板は、直径１２０〜１６０ｍｍの略円形を呈している請求項１乃至９のいずれか１つに記載の可搬型電子機器。
【請求項１１】
光ディスクを着脱するために開閉可能な、可搬型電子機器の蓋に、回路基板と、放射面およびグランド面を有するアンテナ素子と、
前記回路基板に搭載された電子部品をシールドするシールドケースとからなるアンテナユニットが、
前記アンテナ素子の面積よりも大きなアース板上に搭載されて、
前記蓋の内部に前記アンテナユニットが収容されることを特徴とするアンテナ装置。
【請求項１２】
前記蓋は、金属板から成るボトムカバーを含み、
前記アンテナユニットは、前記ボトムカバー上に搭載され、
前記ボトムカバーは、前記アース板を兼ねている請求項１１に記載のアンテナ装置。
【請求項１３】
前記アンテナユニットは、前記ボトムカバーに形成された切り起こしによって固定保持される請求項１２に記載のアンテナ装置。
【請求項１４】
前記アンテナ素子と前記ボトムカバーとの電気的導通は、ハンダ付によってなされる請求項１２または１３に記載のアンテナ装置。
【請求項１５】
前記蓋は、樹脂製のボトムカバーと、前記ボトムカバー上に貼り付けられた金属を含むアースシートとを備えており、
前記アンテナは、前記アースシート上に搭載され、
前記アースシートは、前記アース板として機能する請求項１１に記載のアンテナ装置。
【請求項１６】
前記ボトムカバーは、その上面上に突出するボスを備えており、
前記アースシートは、前記ボスに対応する領域に形成された切欠部を備えており、
前記アンテナは、前記ボトムカバーの前記ボスにネジを用いて固定保持される請求項１５に記載のアンテナ装置。
【請求項１７】
前記ボトムカバーは、その上面上に突出するフックを備えており、
前記アースシートは、前記フックに対応する領域に形成された切欠部を備えており、
前記アンテナは、前記ボトムカバーの前記フックによって固定保持される請求項１５に記載のアンテナ装置。
【請求項１８】
前記アンテナユニットは、前記アース板表面のほぼ中心位置に配置される請求項１１乃至１７のいずれか１つに記載のアンテナ装置。
【請求項１９】
前記アース板は、直径１２０〜１６０ｍｍの略円形を呈している請求項１１乃至１８のいずれか１つに記載のアンテナ装置。
【請求項２０】
前記アースシートは、厚さ０．２ｍｍのアルミシートである請求項１５乃至１９のいずれか１つに記載のアンテナ装置。
【発明の詳細な説明】
【技術分野】
【０００１】
本発明は、人工衛星からの電波（以下「衛星波」とも呼ぶ。）または地上での電波（以下「地上波」とも呼ぶ。）を受信してデジタルラジオ放送（単に、ラジオ放送とも呼ぶ）を聴取することが可能なデジタルラジオチューナと、光ディスクを少くとも再生するための光ディスクドライブとを筐体に内蔵する可搬型電子機器およびこれに用いられるアンテナ装置に関する。
【背景技術】
【０００２】
近時、人工衛星からの電波（衛星波）または地上波を受信して、デジタルラジオ放送を聴取可能にしたデジタルラジオ受信機が開発され、米国において実用化されている。このデジタルラジオ受信機は、周波数が約２．３３ＧＨｚの電波を受信してラジオ放送を聴取することが可能である。尚、地上波は、衛星波を一旦、地上局で受信した後、周波数を若干シフトしたものである。
【０００３】
デジタルラジオ受信機としては、自動車に搭載されるもの、家屋などに固定的に設置されるもの、さらに、バッテリで駆動され、持ち運びができる可搬型のものがある。
【０００４】
可搬型のデジタルラジオ受信機として、より具体的には、デジタルラジオ放送を受信するためのデジタルラジオチューナに加え、ＣＤ（コンパクトディスク）等の光ディスクを少くとも再生するための光ディスクドライブや、アンプや、スピーカを一体的に筐体に内蔵した可搬型音響機器等の可搬型電子機器がある。
【０００５】
約２．３３ＧＨｚの周波数の電波を受信するためのアンテナとしては、種々の構造のものが考えられるが、その形状で大別すると、パッチアンテナである平面型（平板型）と、ループアンテナ等の円筒型とがある。このようなパッチアンテナやループアンテナは、従来、前述した可搬型電子機器の筐体とは別体の状態で用意され、筐体に内蔵されたデジタルラジオチューナに対してケーブルおよびコネクタを介して接続され、使用される。
【０００６】
尚、特許文献１には、デジタルラジオ放送用ではないが、衛星波に適用可能なパッチアンテナを有する電子機器が開示されている。
【０００７】
【特許文献１】特開２００３−１６３５２１号公報
【発明の開示】
【発明が解決しようとする課題】
【０００８】
可搬型電子機器は、ユーザが手軽に持ち運びができて、場所を選ばずに使用できることが利点の１つである。ところが、上述のごとく、アンテナが筐体とは別体である従来の可搬型電子機器は、持ち運びに不便である。
【０００９】
それ故、本発明の課題は、簡素な構成で、持ち運びに便利な、デジタルラジオ放送を受信可能な可搬型電子機器を提供することである。
【００１０】
本発明の他の課題は、持ち運びに便利であるけれども、デジタルラジオ放送の受信性能に優れている可搬型電子機器を提供することである。
【００１１】
本発明の他の課題は、持ち運びに便利であるけれども、デジタルラジオ放送の受信性能に優れていると共に、低コストで製造できる可搬型電子機器を提供することである。
【００１２】
本発明のさらに他の課題は、簡素な構成で、持ち運びに便利な、デジタルラジオ放送を受信可能な可搬型電子機器に用いられるアンテナ装置を提供することである。
【００１３】
本発明の他の課題は、持ち運びに便利であるけれども、デジタルラジオ放送の受信性能に優れている可搬型電子機器に用いられるアンテナ装置を提供することである。
【００１４】
本発明の他の課題は、持ち運びに便利であるけれども、デジタルラジオ放送の受信性能に優れていると共に、低コストで製造できる可搬型電子機器に用いられるアンテナ装置を提供することである。
【課題を解決するための手段】
【００１５】
本発明によれば、人工衛星からの電波または地上での電波をアンテナ（２１）によって受信してラジオ放送を聴取するためのラジオチューナと、光ディスクを少くとも再生するための光ディスクドライブとを筐体に内蔵する可搬型電子機器において、前記筐体の天面に設けられた、光ディスクを着脱するために開閉可能な蓋（１０）を有しており、前記アンテナ（２１）は、前記蓋（１０）に設けられており、前記アンテナ（２１）に接続されたアース板（１２、３０）が、前記蓋（１０）に設けられていることを特徴とする可搬型電子機器が得られる。
【００１６】
本発明によればまた、前記蓋（１０）は、金属板から成るボトムカバー（１２）を含み、前記アンテナ（２１）は、前記ボトムカバー（１２）上に搭載され、前記ボトムカバー（１２）は、前記アース板を兼ねている前記可搬型電子機器が得られる。
【００１７】
本発明によればさらに、前記アンテナ（２１）は、前記ボトムカバー（１２）に形成された切り起こし（１２ｂ）によって固定保持される前記可搬型電子機器が得られる。
【００１８】
また、本発明によれば、前記アンテナ（２１）と前記ボトムカバー（１２）との電気的導通は、ハンダ付によってなされる前記可搬型電子機器が得られる。
【００１９】
本発明によればまた、前記蓋は、樹脂製のボトムカバー（１５）と、前記ボトムカバー（１５）上に貼り付けられた金属を含むアースシート（３０）とを備えており、前記アンテナ（２１）は、前記アースシート（３０）上に搭載され、前記アースシート（３０）は、前記アース板として機能する前記可搬型電子機器が得られる。
【００２０】
本発明によればさらに、前記ボトムカバー（１５）は、その上面上に突出するボス（１５ａ）を備えており、前記アースシート（３０）は、前記ボス（１５ａ）に対応する領域に形成された切欠部（３０ａ）を備えており、前記アンテナ（２１）は、前記ボトムカバー（１５）の前記ボス（１５ａ）にネジを用いて固定保持される前記可搬型電子機器が得られる。
【００２１】
また、本発明によれば、前記ボトムカバー（１５）は、その上面上に突出するフックを備えており、前記アースシート（３０）は、前記フックに対応する領域に形成された切欠部を備えており、前記アンテナ（２１）は、前記ボトムカバー（１５）の前記フックによって固定保持される前記可搬型電子機器が得られる。
【００２２】
さらに、本発明によれば、前記アース板（１２、３０）の面積は、前記アンテナ（２１）の底面積の等倍よりも大きく、該アンテナ（２１）は、該アース板（１２、３０）表面のほぼ中心位置に配置される前記可搬型電子機器が得られる。
【００２３】
本発明によれば、前記アースシート（３０）は、厚さ０．２ｍｍのアルミシートである前記可搬型電子機器が得られる。
【００２４】
本発明によれば、前記アース板（１２、３０）は、直径１２０〜１６０ｍｍの略円形を呈している前記可搬型電子機器が得られる。
【００２５】
本発明によればまた、光ディスクを着脱するために開閉可能な、可搬型電子機器の蓋（１０）に、回路基板（２１ｅ）と、放射面（２１ｂ）およびグランド面（２１ｃ）を有するアンテナ素子（２１ａ〜２１ｄ）と、前記回路基板（２１ｅ）に搭載された電子部品をシールドするシールドケース（２１ｆ）とからなるアンテナユニット（２１）が、前記アンテナ素子（２１ａ〜２１ｄ）の面積よりも大きなアース板（１２、３０）上に搭載されて、前記蓋（１０）の内部に前記アンテナユニット（２１）が収容されることを特徴とするアンテナ装置が得られる。
【００２６】
尚、上記括弧内の符号は、本発明の理解を容易にするために付したものであり、一例に過ぎず、これらに限定されないのは勿論である。
【発明の効果】
【００２７】
本発明による可搬型電子機器は、簡素な構成で、持ち運びに便利である。
【００２８】
本発明による可搬型電子機器はまた、持ち運びに便利であるけれども、デジタルラジオ放送の受信性能に優れている。
【００２９】
本発明による可搬型電子機器はさらに、軽量で蓋の開閉動作を損なうことがないと共に、低コストで製造できる。
【発明を実施するための最良の形態】
【００３０】
以下、図面を参照して、本発明の実施例について詳細に説明する。
【実施例１】
【００３１】
図１および図２を参照して、本発明の実施例による可搬型電子機器は、人工衛星からの電波または地上での電波をパッチアンテナ２０によって受信してデジタルラジオ放送を聴取するためのデジタルラジオチューナ（図示せず）と、ＣＤを少くとも再生するための光ディスクドライブ（図示せず）と、音声アンプと、スピーカとを、筐体（図示せず）に内蔵した可搬型音響機器である。
【００３２】
本可搬型音響機器はまた、図示はしないが、商用交流電源を所定電圧の直流に変換するＡＣ／ＤＣ変換部もしくは直流電源接続端子と、乾電池等のバッテリを収容する電池ホルダとを筐体に内蔵しており、商用交流電源もしくは直流電源ならびにバッテリのどちらでも駆動できるようになっている。
【００３３】
光ディスクドライブは、筐体の天面に設けられた、光ディスクを着脱するために開閉可能な蓋１０を備えている。蓋１０は、図示しないヒンジ構造部を備えており、このヒンジ機構を中心にして、バネ弾性で開動作するか、あるいは、電動モータ機構によって開閉動作するものである。
【００３４】
尚、本発明における蓋は、筐体の天面に設けられていさえすれば、図示の例に限定されるものではない。例えば、鉛直方向に延びた中心軸を中心にして、もしくは、水平方向、斜め方向、または鉛直方向に直線的に延びた軌道に沿って、バネ弾性で回動的もしくは直線的に開動作するか、あるいは、電動モータ機構によって回動的もしくは直線的に開閉動作するもの等であってもよい。
【００３５】
本可搬型音響機器において、蓋１０は、樹脂製のトップカバー１１と、金属製のボトムカバー１２と、トップカバー１１に形成された切欠１１ａに取り付けられた透明または半透明樹脂製の窓部材１３とを備えている。ボトムカバー１２は、トップカバー１１に対して、ねじ止めによって固定されている。窓部材１３は、光ディスクドライブのターンテーブル上にホールドされたＣＤの有無や回転状況を、ボトムカバー１２に形成された切欠１２ａおよびトップカバー１１に形成された切欠１１ａを通して視認するための覗き窓として機能する。
【００３６】
パッチアンテナ２０は、アンテナ部２１と、同軸ケーブル２２とを備えている。アンテナ部２１ならびに同軸ケーブル２２の一部は、蓋１０に内蔵されている。アンテナ部２１は、蓋１０に内蔵されているため、アンテナ部２１独自にアッパーカバーを設ける必要がなく、構造が簡素である。尚、同軸ケーブル２２は、受信信号を伝達する線材に加え、電源線をも含む多芯タイプである。
【００３７】
より詳しくは、図３を参照して、アンテナ部２１は、アンテナ素子部と、ＬＮＡ（低雑音増幅回路）基板２１ｅと、シールドケース２１ｆとにより構成されている。
【００３８】
アンテナ素子部は、セラミック等から成る誘電体基板２１ａと、誘電体基板２１ａの上面上に形成された放射部２１ｂと、誘電体基板２１ａの下面上に形成されたグランド（ＧＮＤ）層２１ｃと、誘電体基板２１ａの厚さ方向に貫通して一端が放射部２１ｂにハンダ付けされた給電ピン２１ｄとを備えている。
【００３９】
給電ピン２１ｄの他端は、ＬＮＡ基板２１ｅにハンダ付けされている。よって、放射部２１ｂは、給電ピン２１ｄによってＬＮＡ基板２１ｅから給電を受ける。尚、ＬＮＡ基板２１ｅは、同軸ケーブル２２を介してデジタルラジオチューナから給電される。
【００４０】
シールドケース２１ｆは、ＬＮＡ基板２１ｅの下面上に実装された電子部品（図示せず）をシールドするものであり、ＬＮＡ基板２１ｅ上のグランドパターンに電気的に接続されている。
【００４１】
アンテナ部２１のシールドケース２１ｆならびに同軸ケーブル２２の一部は、ボトムカバー１２の切り起こし１２ｂによって固定保持されている。特にアンテナ部２１は、ボトムカバー１２の切り起こし１２ｂが当接する部分がシールドケース２１ｆとなっており、アンテナ部２１のグランドパターンやグランド層２１ｃとボトムカバー１２とは、電気的導通がなされる。尚、アンテナ部２１は、切り起こし１２ｂのみではなく、接着剤や両面テープをも併用して固定されてもよい。
【００４２】
尚、同軸ケーブル２２は、アンテナ部２１から蓋１０のヒンジ機構部近傍を経て筐体内のデジタルラジオチューナまで配線されるが、蓋１０の開閉動作の妨げになったり、逆にヒンジ機構部に挟まれるなどして損傷を受けないように、可撓性または柔軟性を有する素材で形成すると共に、ヒンジ機構部に逃げを設けたり、蓋１０の全開／全閉のいずれにおいても無理な緊張をしないように余分を持たせることが好ましい。あるいは、蓋１０内にてＦＰＣ（フレキシブルプリントケーブル、フラットリボンケーブル）に接続し、少くともヒンジ機構部近傍ではＦＰＣによって配線を施す。ただし、ＦＰＣで代用している領域では、シールド対策を十分にとるものとする。
【００４３】
ボトムカバー１２は、アンテナ部２１のアース板を兼ねている。図１および図２から明らかなように、ボトムカバー２１の面積は、アンテナ部２１の底面積に比べて十分に広い。即ち、ボトムカバー１２の面積は、アンテナ部２１の底面積の等倍よりも広い。また、アンテナ部２１は、ボトムカバー１２表面のほぼ中心位置に配置されている。
【実施例２】
【００４４】
以下、図面を参照して、本発明の実施例２について説明する。
【００４５】
実施例２による可搬型電子機器も、実施例１と同様に、デジタルラジオチューナ、光ディスクドライブ、音声アンプ、およびスピーカ（いずれも図示せず）を、筐体（図示せず）に内蔵した可搬型音響機器である。そして、光ディスクドライブは、筐体の天面に設けられた、光ディスクを着脱するために開閉可能な蓋を備えている。
【００４６】
図４および図５（ａ）〜（ｆ）を参照して、本可搬型音響機器において、蓋は、図示しない樹脂製のトップカバーと、樹脂製のボトムカバー１５と、ボトムカバー１５上に貼り付けられた金属を含むアースシート３０とを備えている。
【００４７】
アースシート３０上には、アンテナ部と、同軸ケーブル２２とを備えたパッチアンテナタイプのアンテナが搭載されている。
【００４８】
アンテナ部は、アンテナ素子部と、ＬＮＡ（低雑音増幅回路）基板２１ｅと、シールドケース２１ｆとを含んでおり、詳細な構成は、図３に示したとおりである。
【００４９】
アースシート３０上にはまた、金属フレーム４０が搭載されている。金属フレーム４０は、低仰角における指向性を確保するものであり、天面を除くアンテナ素子部を覆う無給電導体壁からなる。４枚の導体側壁の上端からアンテナ素子部側へ向かって、アンテナ素子面と略平行に延在する１枚のリング状天板部を有し、グランド板として作用するものである。
【００５０】
アースシート３０は、アンテナ部のアース板を兼ねている。図４および図５から明らかなように、アースシート３０の面積は、アンテナ部の底面積に比べて十分に広い。即ち、アースシート３０の面積は、アンテナ部の底面積の等倍よりも広い。また、アンテナ部は、アースシート３０表面のほぼ中心位置に配置されている。より具体的には、アースシート３０は、直径１２０〜１６０ｍｍの略円形を呈している。
【００５１】
アースシート３０は、例えば、アルミニウムを含んでおり、その裏面に接着剤が塗布されている。アースシート３０の厚さは、例えば、０．２ｍｍである。尚、アースシート３０に含まれる金属の種類は、アルミニウムに限定されるものではなく、アースシート３０がアンテナのアースとして機能する金属であればよい。また、アースシートに含まれる金属の含有量も、アースシート３０がアンテナのアースとして機能する量であればよい。さらに、アースシート３０の厚さも、０．２ｍｍに限らず、アースシート３０がアンテナのアースとして機能する厚さであればよい。また、アースシート３０は、上記のごとく接着剤が予め塗布されていなくてもよく、例えば、貼り付け時に接着剤を塗布したり、あるいは、別途用意した両面テープを使用してもよい。
【００５２】
ボトムカバー１５は、その上面上に突出するボス１５ａおよび１５ｂを備えている。アースシート３０は、ボス１５ａおよび１５ｂに対応する領域に形成された切欠部３０ａおよび３０ｂを備えている。そして、アンテナ部はボス１５ａに、金属フレーム４０はボス１５ｂに、それぞれネジを用いて高い強度で固定保持される。尚、アンテナ部や金属フレーム４０のボトムカバー１５への取付は、ネジ止めに限らず、ボトムカバー１５の上面上に突出するようにフックを設け、このフックによって固定保持されてもよい。尚、ボトムカバー１５のボス１５ａおよび１５ｂとアースシート３０の切欠部３０ａおよび３０ｂとの組み合わせは、ボトムカバー１５にボスアースシート３０を貼り付ける際の位置決めの案内になる。
【００５３】
実施例２においては、軽量化を図っている。これは、次の理由による。実施例１では、本発明による可搬型電子機器において、蓋が例えばバネ弾性で回動的もしくは直線的に開動作するものである場合に、金属製が故に重いボトムカバーが、開動作に悪影響を及ぼす場合も無きにしも非ずである。このため、実施例２においては、ボトムカバーを軽量な樹脂製とし、蓋の開閉動作は損なわれることがない。尚、ボトムカバーにアースシートが貼り付けられているため、実施例２におけるアンテナのアース機能は、実施例１と同様に十分に発揮される。加えて、比較的大きい部品であるボトムカバーがトップカバーと同じ樹脂射出成形で製造可能であるため、板金プレス加工の工数や部品コストが減少し、可搬型電子機器全体としても、低コストである。
【００５４】
尚、本発明においては、アースシート３０に代えて、樹脂製のボトムカバー１５の表面上に金属蒸着膜を形成し、アンテナのアース板として用いてもよい。ただし、現状では、金属蒸着膜を形成するためには高いコストがかかるため、低コスト化を実現する点からは、アースシートの方が有利である。
【００５５】
以上説明してきた本発明による可搬型音響機器またはアンテナ装置は、アース板を兼ねたボトムカバー１２もしくはアース板としてのアースシート３０を有していることにより、デジタルラジオ放送の受信性能に優れている。これは、次のような理由による。デジタルラジオ放送の衛星波および地上用のアンテナには、従来のアナログ放送の地上波用のアンテナに比べ、より高い受信感度、より大きい利得、ならびに必要方向へのより強い指向性が要求される。特に、パッチアンテナの場合には、例えば特許文献１の段落００２０〜００２２と図３（ａ）および（ｂ）ならびに図４とに記載されてもいるように、その底面にアース板が形成されること、特に、大面積のアース板が形成されることで、アンテナ天面側の指向性が強くなり、受信性能が向上する。
【産業上の利用可能性】
【００５６】
以上、本発明について好ましい実施例によって説明してきたが、本発明は上述した実施例に限定されるものではない。
【００５７】
例えば、可搬型電子機器としては可搬型音響機器に限らず、ＤＶＤ（Digital Versatile Disc）ドライブならびに液晶モニタをも具備したデジタルラジオ放送を受信可能な可搬型ＤＶＤプレーヤや、さらにはＤＶＤ−ＲＯＭ（DVD-Read only Memory）ドライブならびに液晶モニタをも具備したデジタルラジオ放送を受信可能なＧＰＳ（Global Positioning System）式可搬型ナビゲーション装置や、これらの複合機等であってもよい。
【００５８】
また、本発明による可搬型電子機器におけるアンテナは、デジタルラジオ放送用のパッチアンテナに限らず、光ディスクドライブの蓋に搭載または収容可能なサイズ、形状のものであれば、種々の形状や、種々の放送システムや無線ＬＡＮ（無線Local Area Network）システム用のアンテナを適用可能である。
【図面の簡単な説明】
【００５９】
【図１】本発明の実施例１による可搬型電子機器の要部を示す分解斜視図である。
【図２】本発明の実施例１による可搬型電子機器の要部を示す断面図である。
【図３】本発明の実施例１および２による可搬型電子機器に用いられるアンテナユニットを示す分解斜視図である。
【図４】本発明の実施例２による可搬型電子機器の要部を示す分解斜視図である。
【図５】本発明の実施例２による可搬型電子機器の要部を示す図であり、（ａ）は平面図、（ｂ）は正面図、（ｃ）は背面図、（ｄ）は底面図、（ｅ）は右側面図、（ｆ）は断面図である。
【符号の説明】
【００６０】
１０    蓋
１１    トップカバー
１１ａ  切欠
１２、１５    ボトムカバー
１２ａ  切欠
１２ｂ  切り起こし
１３    窓部材
２０    パッチアンテナ
２１    アンテナ部
２１ａ  誘電体基板
２１ｂ  放射部
２１ｃ  グランド層
２１ｄ  給電ピン
２１ｅ  ＬＮＡ基板
２１ｆ  シールドケース
２２    同軸ケーブル
３０    アースシート
４０    金属フレーム
【図１】
2005110198.tif 000003
【図２】
2005110198.tif 000004
【図３】
2005110198.tif 000005
【図４】
2005110198.tif 000006
【図５】
2005110198.tif 000007